(57)【要約】【課題】  従来は着信以外の状態で内部の電子回路基板が透けて見えてしまい、また、発光素子の発した光によって表示部に表示した情報が視認しにくくなることを防止するための仕切り部が必要で、筐体構造が若干複雑となる。【解決手段】  上側筐体部の背面２ｂは、その筐体部分の裏側に、ハッチングで示す上端から所定幅の水平方向の帯状部分に透明の光透過性樹脂９がハーフ蒸着にて透光部として形成されると共に、それ以外の白地で示す部分に有色の非光透過性樹脂１０が形成される構造である。また、背面２ｂの表側はＵＶ塗装が施される。表面と背面２ｂとの間の筐体内部からは、ＬＥＤからの光が透明の光透過性樹脂９による透光部を透過するようにされる。光透過性樹脂９はハーフ蒸着されているので、上側筐体部の外部から内部は見えない。また、非光透過性樹脂１０で覆われた部分も上側筐体部の外部から内部は見えない。【選択図】            図４
2006191432.tif 000002
【特許請求の範囲】
【請求項１】
筐体の内部に通信用の回路基板を収容し、かつ、筐体の表面に入力部及び表示部が少なくとも設けられた携帯通信機器において、
前記筐体の前記入力部及び表示部が設けられていない位置の裏側の一部に、ハーフ蒸着により形成された光透過性樹脂による透光部と、
前記筐体の裏側の他の部分に成形された非光透過性樹脂と、
前記筐体内に設けられ、点灯又は点滅動作したときの光を前記透光部を通して外部へ出射する発光手段と、
着信信号検出時に、前記発光手段を点灯又は点滅動作させる制御手段と
を有することを特徴とする携帯通信機器。
【請求項２】
筐体の内部に通信用の回路基板を収容し、かつ、筐体の表面に入力部及び表示部が少なくとも設けられた携帯通信機器において、
前記筐体の前記入力部及び表示部が設けられていない位置の裏側の一部に、金属薄膜工法により形成された光透過性樹脂による透光部と、
前記筐体の裏側の他の部分に成形された非光透過性樹脂と、
前記筐体内に設けられ、点灯又は点滅動作したときの光を前記透光部を通して外部へ出射する発光手段と、
着信信号検出時に、前記発光手段を点灯又は点滅動作させる制御手段と
を有することを特徴とする携帯通信機器。
【請求項３】
前記光透過性樹脂は透明であり、前記非光透過性樹脂は有色であることを特徴とする請求項１又は２記載の携帯通信機器。
【請求項４】
前記筐体の裏側は、前記入力部及び表示部が表面に設けられている筐体の裏面の裏側であることを特徴とする請求項１又は２記載の携帯通信機器。
【請求項５】
前記透光部及び非光透過性樹脂が形成されている前記筐体の裏側に対向する表側には、塗装が施されていることを特徴とする請求項１又は２記載の携帯通信機器。
【請求項６】
筐体の内部に通信用の回路基板を収容し、かつ、筐体の表面に入力部及び表示部が少なくとも設けられた携帯通信機器の製造方法において、
光透過性樹脂による透光部と非光透過性樹脂とを金型にて所定の配置関係で樹脂結合させる第１のステップと、
前記筐体の前記入力部及び表示部が設けられていない位置の裏側の一部に、前記光透過性樹脂による透光部を配置してハーフ蒸着により固定すると同時に、前記筐体の裏側の他の部分に非光透過性樹脂を成形する第２のステップと、
点灯又は点滅動作したときの光を前記透光部を通して外部へ出射する発光手段を前記筐体内に設ける第３のステップと
を含むことを特徴とする携帯通信機器の製造方法。
【請求項７】
筐体の内部に通信用の回路基板を収容し、かつ、筐体の表面に入力部及び表示部が少なくとも設けられた携帯通信機器の製造方法において、
光透過性樹脂による透光部と非光透過性樹脂とを金型にて所定の配置関係で樹脂結合させる第１のステップと、
前記筐体の前記入力部及び表示部が設けられていない位置の裏側の一部に、前記光透過性樹脂による透光部を配置して金属薄膜工法により固定すると同時に、前記筐体の裏側の他の部分に非光透過性樹脂を成形する第２のステップと、
点灯又は点滅動作したときの光を前記透光部を通して外部へ出射する発光手段を前記筐体内に設ける第３のステップと
を含むことを特徴とする携帯通信機器の製造方法。
【請求項８】
前記光透過性樹脂は透明であり、前記非光透過性樹脂は有色であることを特徴とする請求項６又は７記載の携帯通信機器の製造方法。
【請求項９】
前記透光部及び非光透過性樹脂が形成されている前記筐体の裏側に対向する表側に、塗装を施す第４のステップを含むことを特徴とする請求項６又は７記載の携帯通信機器の製造方法。
【発明の詳細な説明】
【技術分野】
【０００１】
本発明は携帯通信機器及びその製造方法に係り、特に着信を光により報知するための筐体構造を備えた携帯電話機等の携帯通信機器及びその製造方法に関する。
【背景技術】
【０００２】
近年、携帯電話機に代表される携帯通信機器は、その多機能化の要求に加えて、視認性及び意匠性も他の同種製品との差別化から要求されている。一方、携帯通信機器では、通常、着信を音や振動以外で報知する手段として、発光素子を点滅させ、その発光素子からの光を拡散レンズを介して筐体に設けられた表示窓を通して点滅表示させることが行われている。
【０００３】
ここで、ごく一般的な上記の拡散レンズは、乳白色からなり、筐体の一部に別ピースにて嵌め込み工法もしくは溶着されていた。また一部では光透過性樹脂の裏側に印刷を施し光を透過させる手法をとっていた。また最近の手法として、筐体の光透過させる部分に樹脂と印刷フィルムを同時成形するインモールド工法などで製造されている事例もある。
【０００４】
しかしながら、上記の光透過性樹脂と印刷とを組み合わせて着信を点滅表示する構成のものは、ごく標準的な仕様であり、視認性及び意匠性において各社で優位差の出るものでもなかった。
【０００５】
そこで、上記の意匠性の要求を考慮して従来より、筐体を透明若しくは半透明の同一樹脂材料にて表示窓部と共に一体形成して表示窓部を除く内表面に凹凸を形成し、着信に連動して発光する発光素子が発する光を上記凹凸で拡散させて筐体全体を発光させる発光手段を備えた携帯通信機器が従来より知られている（例えば、特許文献１参照）。
【０００６】
【特許文献１】特開２００１−２６８１９５号公報
【発明の開示】
【発明が解決しようとする課題】
【０００７】
しかるに、上記の従来の携帯通信機器では、着信に連動して発光する発光素子が発する光を上記凹凸で拡散させて筐体全体を発光させて、着信をユーザに報知するため、筐体が透明若しくは半透明の同一樹脂材料で構成されており、着信以外の状態で内部の電子回路基板が透けて見えてしまい、また、発光素子の発した光によって表示部に表示した情報が視認しにくくなることを防止するための仕切り部を表示部窓を囲むように設ける必要があり、筐体構造が若干複雑となる。更に、上記の従来の携帯通信機器では、筐体全体を発光させるために、発光素子が複数必要となり、コスト上の問題もある。
【０００８】
本発明は、以上の点に鑑みなされたもので、２つの筐体部から構成される携帯通信機器において、一方の筐体部の所定面を非光透過性樹脂と光透過性樹脂とからなる構成とすることにより、既存の着信報知用発光素子を利用して、安価で簡単な構成により、一見すると筐体外観上は光透過部は見えないが着信信号にて内部からの発光が確認されることを可能とした携帯通信機器及びその製造方法を提供することを目的とする。
【課題を解決するための手段】
【０００９】
上記の目的を達成するため、第１の発明の携帯通信機器は、筐体の内部に通信用の回路基板を収容し、かつ、筐体の表面に入力部及び表示部が少なくとも設けられた携帯通信機器において、筐体の入力部及び表示部が設けられていない位置の裏側の一部に、ハーフ蒸着により形成された光透過性樹脂による透光部と、筐体の裏側の他の部分に成形された非光透過性樹脂と、筐体内に設けられ、点灯又は点滅動作したときの光を透光部を通して外部へ出射する発光手段と、着信信号検出時に、発光手段を点灯又は点滅動作させる制御手段とを有することを特徴とする。
【００１０】
この発明では、非光透過性樹脂及びハーフ蒸着により形成された光透過性樹脂とを通して、筐体の外部から筐体内の回路基板等は見えず、かつ、着信時には発光手段が点灯又は点滅動作されることにより発光手段から出射される光が光透過性樹脂を透過して外部へ取り出されるため、光により着信を報知することができる。
【００１１】
また、上記の目的を達成するため、第２の発明の携帯通信機器は、筐体の内部に通信用の回路基板を収容し、かつ、筐体の表面に入力部及び表示部が少なくとも設けられた携帯通信機器において、筐体の入力部及び表示部が設けられていない位置の裏側の一部に、金属薄膜工法により形成された光透過性樹脂による透光部と、筐体の裏側の他の部分に成形された非光透過性樹脂と、筐体内に設けられ、点灯又は点滅動作したときの光を透光部を通して外部へ出射する発光手段と、着信信号検出時に、発光手段を点灯又は点滅動作させる制御手段とを有することを特徴とする。
【００１２】
この発明では、非光透過性樹脂及び金属薄膜工法により形成された光透過性樹脂とを通して、筐体の外部から筐体内の回路基板等は見えず、かつ、着信時には発光手段が点灯又は点滅動作されることにより発光手段から出射される光が光透過性樹脂を透過して外部へ取り出されるため、光により着信を報知することができる。
【００１３】
ここで、上記の第１又は第２の発明の光透過性樹脂は透明であり、非光透過性樹脂は有色であってもよく、また、筐体の裏側は、入力部及び表示部が表面に設けられている筐体の裏面の裏側であってもよい。また、上記の透光部及び非光透過性樹脂が形成されている筐体の裏側に対向する表側には、塗装が施されていることを特徴とする。
【００１４】
また、上記の目的を達成するため、第６の発明の製造方法は、筐体の内部に通信用の回路基板を収容し、かつ、筐体の表面に入力部及び表示部が少なくとも設けられた携帯通信機器の製造方法において、光透過性樹脂による透光部と非光透過性樹脂とを金型にて所定の配置関係で樹脂結合させる第１のステップと、筐体の入力部及び表示部が設けられていない位置の裏側の一部に、光透過性樹脂による透光部を配置してハーフ蒸着により固定すると同時に、筐体の裏側の他の部分に非光透過性樹脂を成形する第２のステップと、点灯又は点滅動作したときの光を透光部を通して外部へ出射する発光手段を筐体内に設ける第３のステップとを含むことを特徴とする。
【００１５】
また、上記の目的を達成するため、第７の発明の製造方法は、筐体の内部に通信用の回路基板を収容し、かつ、筐体の表面に入力部及び表示部が少なくとも設けられた携帯通信機器の製造方法において、光透過性樹脂による透光部と非光透過性樹脂とを金型にて所定の配置関係で樹脂結合させる第１のステップと、筐体の入力部及び表示部が設けられていない位置の裏側の一部に、光透過性樹脂による透光部を配置して金属薄膜工法により固定すると同時に、筐体の裏側の他の部分に非光透過性樹脂を成形する第２のステップと、点灯又は点滅動作したときの光を透光部を通して外部へ出射する発光手段を筐体内に設ける第３のステップとを含むことを特徴とする。
【００１６】
ここで、上記の第６又は第７の発明の光透過性樹脂は透明であり、非光透過性樹脂は有色であってもよい。更に、本発明の製造方法は、透光部及び非光透過性樹脂が形成されている筐体の裏側に対向する表側に、塗装を施す第４のステップを含むことを特徴とする。
【発明の効果】
【００１７】
本発明によれば、着信が無い場合は外部から筐体内部が見えない１色のすっきりしたデザインを有し、着信があるときには筐体の内部から発光された光が外部へ透過して着信を報知できるため、デザインの差別化を図ることができると共に、筐体内部の発光手段の発した光によって表示部に表示した情報が視認しにくくなることを防止するための仕切り部を設ける必要はなく、筐体構造を簡単に、かつ、安価にできる。
【発明を実施するための最良の形態】
【００１８】
次に、本発明の実施の形態について図面と共に説明する。図１及び図２は本発明になる携帯通信機器の一実施の形態の側面図及び背面図を示す。両図において、この実施の形態の携帯通信機器は折畳み型携帯電話機１であり、表面２ａにメイン表示部やスピーカ（いずれも図示せず）が設けられ、背面２ｂにサブ表示部５及びカメラのレンズ６が設置された上側筐体部２と、表面３ａに各種の情報の入力のための複数のキーからなる入力部や送話音声を収音するためのマイク（いずれも図示せず）が設けられ、背面３ｂにバッテリ７などが設けられた下側筐体部３の各一側端部同士がヒンジ部４により回動自在に結合されている。
【００１９】
また、上側筐体部２は表面２ａの筐体部分の裏側と背面２ｂの筐体部分の裏側とが付き合わせられて内部が中空の構成とされ、下側筐体部３は表面３ａの筐体部分の裏側と背面３ｂの筐体部分の裏側とが付き合わせられて内部が中空の構成とされる。なお、上側筐体部２及び下側筐体部３内には、所定の回路などが搭載された回路基板が内蔵される。
【００２０】
ところで、現在、携帯電話機で主流になっている、折畳みタイプのスタイルにて、着信を知らせるＬＥＤの点灯を拡散する拡散レンズがあるが、本実施の形態では、この拡散レンズの替わりに、上側筐体部２の筐体の一部に光透過性樹脂と従来から使用している非光透過性樹脂を同時成形し、その裏側にハーフ蒸着を施し、上側筐体部２の表面には、ＵＶ塗装を施すことにより、着信の無い場合は１色のすっきりしたデザインを有し着信信号があれば、筐体の内部からＬＥＤの点灯が確認できることを可能とするものであり、以下、その詳細について説明する。
【００２１】
本実施の形態では、図３に示すように上側筐体部２の背面２ｂの筐体部分の表側には、水平方向の中心部で、かつ、垂直方向にサブ表示部５用開口部５１とカメラレンズ６用開口部６１とが整列するように配置されている。また、背面２ｂの表側はＵＶ塗装が施される。一方、図４に示す上側筐体部背面２ｂの裏側の一実施の形態の構造は、背面２ｂの筐体部分の裏側に、ハッチングで示す上端から所定幅の水平方向の帯状部分に透明の光透過性樹脂９がハーフ蒸着にて透光部（光透過部）として形成されると共に、それ以外の白地で示す部分に有色の非光透過性樹脂１０が形成される構造である。
【００２２】
ここで、図４の構造の製造方法について説明するに、上記の有色の非光透過性樹脂１０には、予め前記開口部５１と同径で、かつ、開口部５１に対応する位置に開口部５２が穿設されており、また、前記開口部６１と同径で、かつ、開口部６１に対応する位置に開口部６２が穿設されている。この開口部５２及び６２が穿設済みの非光透過性樹脂１０と、透明の光透過性樹脂９とを金型にて、図４に示すように非光透過性樹脂１０の上端に光透過性樹脂９を樹脂結合させる。
【００２３】
続いて、これら樹脂結合された光透過性樹脂９及び非光透過性樹脂１０を、図４に示すように上側筐体部２の背面２ｂの筐体部分の裏側に配置し、光透過性樹脂９を背面２ｂの筐体部分の裏側にハーフ蒸着により透光部として固定する。このとき、非光透過性樹脂１０と背面２ｂの筐体部分の裏側との間はマスクされており、ハーフ蒸着はされないが、既に光透過性樹脂９及び非光透過性樹脂１０は樹脂結合されているので、上記のハーフ蒸着により光透過性樹脂９及び非光透過性樹脂１０は、背面２ｂの筐体部分の裏側に同時成形されることになる。また、開口部５２は開口部５１に連通し、開口部６２は開口部６１に連通することになる。
【００２４】
ここで、表面２ａと背面２ｂとの間の筐体内部からは、筐体内部に設けられた図示しない発光ダイオード（ＬＥＤ）からの光が透明の光透過性樹脂９による透光部を透過するようにされる。また、光透過性樹脂９以外の裏側の部分は非光透過性樹脂１０により覆われているため、上側筐体部２の外部から内部は直接見えない。また、開口部５１及び５２の部分にはサブの表示部５が取り付けられ、開口部６１及び６２の部分にはカメラレンズが取り付けられるので、これらの開口部５１、５２、６１、６２を通して上側筐体部２の外部から内部が見えることはない。なお、光透過性樹脂９は、ハーフ蒸着されているので、上側筐体部２の外部から光透過性樹脂９を通して内部は見えない。
【００２５】
図５は本発明の携帯通信端末の上側筐体部背面２ｂの裏側の他の実施の形態の構造を示す。同図に示すように、水平方向に３分割され、白地で示す真中の分割部は表側にある開口部５１と６１を含む幅の垂直方向に伸びる帯状部分であり、ここに有色の非光透過性樹脂１４が形成される。また、図５にハッチングを付して示す左右の２箇所の垂直方向に伸びる同じ幅の帯状部分には、透明の光透過性樹脂１３ａ、１３ｂがハーフ蒸着にて透光部として形成される。また、背面２ｂの表側はＵＶ塗装が施される。
【００２６】
この図５の構造の製造方法について説明するに、上記の有色の非光透過性樹脂１４には、予め前記開口部５１と同径で、かつ、開口部５１に対応する位置に開口部５３が穿設されており、また、前記開口部６１と同径で、かつ、開口部６１に対応する位置に開口部６３が穿設されている。この開口部５３及び６３が穿設済みの非光透過性樹脂１４と、透明の光透過性樹脂１３ａ及び１３ｂとを金型にて、図５に示すような位置関係で樹脂結合させる。
【００２７】
続いて、これら樹脂結合された光透過性樹脂１３ａ及び１３ｂと非光透過性樹脂１４とを、図５に示すように上側筐体部２の背面２ｂの筐体部分の裏側に配置し、光透過性樹脂１３ａ及び１３ｂを背面２ｂの筐体部分の裏側にハーフ蒸着により透光部として固定する。このとき、非光透過性樹脂１４と背面２ｂの筐体部分の裏側との間はマスクされており、ハーフ蒸着はされないが、既に光透過性樹脂１３ａ及び１３ｂと非光透過性樹脂１４とは樹脂結合されているので、上記のハーフ蒸着により光透過性樹脂１３ａ及び１３ｂと非光透過性樹脂１４とは、背面２ｂの筐体部分の裏側に同時成形されることになる。また、開口部５３は図３の開口部５１に連通し、開口部６３は図３の開口部６１に連通することになる。
【００２８】
ここで、表面２ａと背面２ｂとの間の筐体内部からは、筐体内部に設けられた図示しない発光ダイオード（ＬＥＤ）からの光が透明の光透過性樹脂１３ａ、１３ｂによる透光部を透過するようにされる。また、光透過性樹脂１３ａ及び１３ｂ以外の裏側の部分は非光透過性樹脂１４により覆われているため、上側筐体部２の外部から内部は直接見えない。また、開口部５１及び５３の部分にはサブの表示部５が取り付けられ、開口部６１及び６３の部分にはカメラレンズが取り付けられるので、これらの開口部５１、５３、６１、６３を通して上側筐体部２の外部から内部が見えることはない。なお、光透過性樹脂１３ａ、１３ｂは、ハーフ蒸着されているので、上側筐体部２の外部から光透過性樹脂１３ａ、１３ｂを通して内部は見えない。
【００２９】
次に、本発明の携帯通信機器の一実施の形態の構成について説明する。図６は本発明になる携帯通信機器の一実施の形態のブロック図を示す。同図において、携帯電話機１は、携帯電話機全体を統括的に制御する制御部２１が、動作用プログラムや電話帳データなどを格納している記憶部２２、各種の情報入力のための複数のキーからなる入力部２３、前述したカメラレンズ６を有するカメラ部２４及び信号処理部２９にそれぞれ接続されると共に、表示駆動部２５を介してメイン表示部２６及び前述したサブ表示部５に接続され、また、発光制御部２７を介して発光ダイオード（ＬＥＤ）からなる発光部２８に接続されている。
【００３０】
また、信号処理部２９は、音声処理部３０を介して受話音声や着信音鳴動用のスピーカ３１に音声信号を出力し、マイク３２により収音された送話音声信号が音声処理部３０を介して供給される。また、無線部３３及びアンテナ３４を介して図示しない最寄りの基地局との間で無線通信する。
【００３１】
次に、この実施の形態の動作について説明する。着信時には、相手端末からの送信信号に基づき公衆網で生成された着信信号が、最寄りの基地局（図示せず）を経てアンテナ３４及び無線部３３により受信され、信号処理部２９により所定の信号処理を行われた後、制御部２１に供給されると共に、音声処理部３０を介してスピーカ３１に供給されて着信音を鳴動させる。これと同時に、制御部２１は、着信信号が入力されたときには、発光制御部２７を制御して発光部（ＬＥＤ）２８を点滅駆動させる。
【００３２】
この発光部２８の点滅光は、携帯電話機１の上側筐体部２の背面２ｂが図４の構成の場合は光透過性樹脂９を透過し、図５の構成の場合は光透過性樹脂１３ａ及び１３ｂをそれぞれ透過するため、上側筐体部２の背面２ｂの構成が図４及び図５のどちらであっても、上側筐体部２の背面２ｂを通して点滅光がユーザに見えることとなり、これにより、ユーザはスピーカ３１からの鳴動音と共に上記の点滅光により着信を知ることができる。なお、着信音の鳴動は必ずしも行わなくてもよい。
【００３３】
一方、発信の場合の相手端末の電話番号、又は着信応答操作信号は、入力部２３から制御部２１に入力され、これにより制御部２１から信号処理部２９、無線部３３及びアンテナ３４を介して最寄りの基地局（図示せず）へ送信信号が無線出力され、更に基地局から公衆網などを介して相手端末との間で所定のシーケンスに従って、通話路が確立される。
【００３４】
その後、相手端末からの通話信号は、公衆網及び基地局を介してアンテナ３４で受信され、更に無線部３３で受信処理された後、信号処理部２９で受話音声信号に変換され、音声処理部３０を介してスピーカ３１に供給されて電気−音響変換されることにより受話音声として発音される。一方、送話音声は、マイク３２により音響−電気変換されて送話音声信号となり、音声処理部３０及び信号処理部２９を経由して無線部３３に供給され、ここで所定周波数帯の送信信号とされた後、アンテナ３４を介して基地局へ無線送信され、更に基地局から公衆網などを介して相手端末へ送信される。以上の音声通信の動作は公知である。
【００３５】
このように、本実施の形態では、上側筐体部２の背面２ｂの裏側を、図４に示したように、光透過性樹脂９及び非光透過性樹脂１０を同時成形して、又は図５に示したように、光透過性樹脂１３ａ及び１３ｂと非光透過性樹脂１４とを同時成形して外部からは上側筐体部２の内部が直接見えないようにすると共に、上側筐体部２の内部からはＬＥＤで構成された発光部２８を光透過性樹脂９又は１３ａ、１３ｂの近くに配置して、発光部２８からの光が外部へ透過するようにし、上側筐体部２の表面には、ＵＶ塗装を施すことにより、着信の無い場合は１色のすっきりしたデザインを有し、着信信号を感知すると発光部２８から点滅光が出射されて外部に着信を報知することができ、意匠の差別化を図ることができる。
【００３６】
また、本実施の形態では、着信以外の状態でも筐体内部に収容されている回路基板が透けて見えることはなく、また、サブ表示部５の周辺の筐体の裏側部分は非光透過性樹脂１０、１４により覆われるため、発光部２８の発した光によってサブ表示部５に表示した情報が視認しにくくなることを防止するための仕切り部を設ける必要はなく、筐体構造が簡単である。更に、発光部２８は１個のＬＥＤでも構成することができ、複数個の発光素子を要した従来機器に比べて、安価に構成できる。
【００３７】
なお、上記の実施の形態では、上側筐体部２の背面２ｂに対して光透過性樹脂及び非光透過性樹脂の同時成形を行うようにしたが、本発明はこれに限定されるものではなく、例えば、筐体の両側面や下側筐体部３の背面３ｂにあたる筐体の一部に上記の同時成形を適用しても外観意匠に違和感を与えることなく、任意の場所から着信信号を伝えることが可能である。
【００３８】
また、光透過性樹脂の内側隠蔽として、上記の実施の形態ではハーフ蒸着工法を適用しているが、本発明はこれに限定されるものではなく、イオンプレーテング工法やスパッタリング工法などの金属薄膜工法であれば適用が可能である。また、前記発光部２８を構成するＬＥＤを複数個連続で設置したり、光チューブを使用することにより、広いエリアを照光することが可能となる。また、着信はＬＥＤの点滅ではなく点灯であってもよい。
【００３９】
更に、本発明は折畳み型携帯電話機に限定されるものではなく、折畳み型以外のスライド型携帯電話機や回転型携帯電話機にも適用可能であり、更には携帯電話機以外の携帯型情報機器（ノートパソコンその他）などの携帯通信機器全般に適用可能である。
【図面の簡単な説明】
【００４０】
【図１】本発明の携帯通信機器の一実施の形態の側面図である。
【図２】本発明の携帯通信機器の一実施の形態の背面図である。
【図３】本発明の携帯通信機器の上側筐体部背面の表側の一実施の形態の構造を示す図である。
【図４】本発明の携帯通信機器の上側筐体部背面の裏側の一実施の形態の構造を示す図である。
【図５】本発明の携帯通信機器の上側筐体部背面の裏側の他の実施の形態の構造を示す図である。
【図６】本発明の携帯通信機器の一実施の形態のブロック図である。
【符号の説明】
【００４１】
１  折畳み型携帯電話機
２  上側筐体部
２ａ  上側筐体部表面
２ｂ  上側筐体部背面
３  下側筐体部
３ａ  下側筐体部表面
３ｂ  下側筐体部背面
４  ヒンジ部
５  サブ表示部
６  カメラレンズ
９、１３ａ、１３ｂ  光透過性樹脂
１０、１４  非光透過性樹脂
５１、５２、５３、６１、６２、６３  開口部
【図１】
2006191432.tif 000003
【図２】
2006191432.tif 000004
【図３】
2006191432.tif 000005
【図４】
2006191432.tif 000006
【図５】
2006191432.tif 000007
【図６】
2006191432.tif 000008